【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
第１の測定用グランド及び第１の測定用信号線から構成される第１の信号線路と、
前記第１の信号線路の一端に設けられた第１の高周波測定用ポートと、
第２の測定用グランド及び第２の測定用信号線から構成される第２の信号線路と、
前記第２の信号線路の一端に設けられた第２の高周波測定用ポートと、
一端に第３の高周波測定用ポートを有する第３の信号線路と、
アンテナグランド及びアンテナ信号線から構成される被測定アンテナと、
測定用アンテナと、
信号線路内の後退波を吸収する無反射終端と、
ネットワークアナライザーとを備え、
前記ネットワークアナライザーは、
前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記第１の信号線路及び第２の信号線路の他端が前記ネットワークアナライザーに接続された第１の接続状態において、前記第１の高周波測定用ポート及び第２の高周波測定用ポート間の散乱係数を測定し、
前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記第２の信号線路の他端が前記無反射終端に接続され、前記第１の信号線路及び第３の信号線路の他端が前記ネットワークアナライザーに接続され、前記被測定アンテナから前記測定用アンテナへ、あるいは前記測定用アンテナから前記被測定アンテナへ、単一または複数の測定周波数の連続波信号を送受信させた第２の接続状態において、前記第１の高周波測定用ポート及び第３の高周波測定用ポート間の第１の通過特性を測定し、
前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記第１の信号線路の他端が前記無反射終端に接続され、前記第２の信号線路及び第３の信号線路の他端が前記ネットワークアナライザーに接続され、前記被測定アンテナから前記測定用アンテナへ、あるいは前記測定用アンテナから前記被測定アンテナへ、単一または複数の測定周波数の連続波信号を送受信させた第３の接続状態において、前記第２の高周波測定用ポート及び第３の高周波測定用ポート間の第２の通過特性を測定し、
短絡点において第１の測定用グランドを流れる電流と第１の測定用信号線を流れる電流の不平衡成分に相当する第１の不平衡電流と、前記短絡点において第２の測定用グランドを流れる電流と第２の測定用信号線を流れる電流の不平衡成分に相当する第２の不平衡電流とを相殺するように、前記散乱係数に基づき、第１の高周波測定用ポート内の進行波と第２の高周波測定用ポート内の進行波との比率を決定し、
前記第１の通過特性と前記第２の通過特性を前記比率により合成して第３の通過特性を測定する
ことを特徴とするアンテナ特性測定装置。
【請求項２】
前記ネットワークアナライザーは、
前記第２の接続状態において、前記第２の信号線路及び短絡点が削除され、前記アンテナ信号線と前記第１の測定用グランドの間に前記無反射終端が接続され、前記第１の高周波測定用ポート及び第３の高周波測定用ポート間の第１の通過特性を測定し、
前記第３の接続状態において、前記第１の信号線路及び短絡点が削除され、前記アンテナグランドと前記第２の測定用グランドの間に前記無反射終端が接続され、前記第２の高周波測定用ポート及び第３の高周波測定用ポート間の第２の通過特性を測定する
ことを特徴とする請求項１記載のアンテナ特性測定装置。
【請求項３】
第１の測定用グランド及び第１の測定用信号線から構成される第１の信号線路と、
前記第１の信号線路の一端に設けられた第１の高周波測定用ポートと、
第２の測定用グランド及び第２の測定用信号線から構成される第２の信号線路と、
前記第２の信号線路の一端に設けられた第２の高周波測定用ポートと、
一端に第３の高周波測定用ポートを有する第３の信号線路と、
アンテナグランド及びアンテナ信号線から構成される被測定アンテナと、
測定用アンテナと、
ネットワークアナライザーと、
入力端子を有し、前記第１の信号線路内の進行波を分配する分配回路と、
第３及び第４の測定用信号線とを備え、
前記ネットワークアナライザーは、
前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記第１の信号線路及び第２の信号線路の他端が前記ネットワークアナライザーに接続された第１の接続状態において、前記第１の高周波測定用ポート及び第２の高周波測定用ポート間の散乱係数を測定し、
短絡点において第１の測定用グランドを流れる電流と第１の測定用信号線を流れる電流の不平衡成分に相当する第１の不平衡電流と、前記短絡点において第２の測定用グランドを流れる電流と第２の測定用信号線を流れる電流の不平衡成分に相当する第２の不平衡電流とを相殺するように、前記散乱係数に基づき、第１の高周波測定用ポート内の進行波と第２の高周波測定用ポート内の進行波との比率を決定し、
前記第１の接続状態から、前記第２の信号線路及び短絡点が削除され、前記分配回路の入力端子が前記第１の信号線路の一端に接続され、前記第３及び第４の測定用信号線の一端が前記分配回路の入力端子とは反対側にそれぞれ接続され、前記第１の高周波測定用ポートが前記第３の測定用信号線の他端に接続され、前記第２の高周波測定用ポートが前記第４の測定用信号線の他端に接続され、前記第１の高周波測定用ポートにおいて、前記アンテナグランド及び前記第３の測定用信号線が接続され、前記第２の高周波測定用ポートにおいて、前記アンテナ信号線及び前記第４の測定用信号線が接続され、前記測定用アンテナが前記第３の高周波測定用ポートに接続され、前記第１の信号線路及び第３の信号線路の他端が前記ネットワークアナライザーに接続され、前記被測定アンテナから前記測定用アンテナへ、あるいは前記測定用アンテナから前記被測定アンテナへ、単一または複数の測定周波数の連続波信号を送受信させ、前記分配回路により、前記入力端子に入力された進行波を、前記第１の高周波測定用ポート及び第２の高周波測定用ポート内の進行波が前記比率になるように分配させた第２の接続状態において、前記分配回路の入力端子及び第３の高周波測定用ポート間の通過特性を測定する
ことを特徴とするアンテナ特性測定装置。
【請求項４】
第５及び第６の測定用信号線と、
入力端子、及び無反射終端が接続される端子を有し、前記第５及び第６の測定用信号線と前記第１の測定用信号線及び前記無反射終端の接続を切り替えるスイッチボックスと、
前記スイッチボックスを制御するスイッチコントローラーとをさらに備え、
前記ネットワークアナライザーは、
前記第２の接続状態において、前記第２の信号線路及び短絡点が削除され、前記無反射終端が前記スイッチボックスの端子に接続され、前記入力端子が前記第１の測定用信号線に接続され、前記第５及び第６の測定用信号線の一端が前記第１及び第２の高周波測定用ポートにそれぞれ接続され、前記スイッチコントローラーの制御の基づき前記スイッチボックスにより、前記第５の測定用信号線の他端が前記第１の測定用信号線に接続され、かつ前記第６の測定用信号線の他端が前記無反射終端に接続され、前記第１の高周波測定用ポート及び第３の高周波測定用ポート間の第１の通過特性を測定し、
前記第２の接続状態において、前記第２の信号線路及び短絡点が削除され、前記無反射終端が前記スイッチボックスの端子に接続され、前記入力端子が前記第１の測定用信号線に接続され、前記第５及び第６の測定用信号線の一端が前記第１及び第２の高周波測定用ポートにそれぞれ接続され、前記スイッチコントローラーの制御の基づき前記スイッチボックスにより、前記第５の測定用信号線の他端が前記無反射終端に接続され、かつ前記第６の測定用信号線の他端が前記第１の測定用信号線に接続され、前記第２の高周波測定用ポート及び第３の高周波測定用ポート間の第２の通過特性を測定する
ことを特徴とする請求項１記載のアンテナ特性測定装置。
【請求項５】
第１の測定用グランド及び第１の測定用信号線から構成される第１の信号線路と、
前記第１の信号線路の一端に設けられた第１の高周波測定用ポートと、
第２の測定用グランド及び第２の測定用信号線から構成される第２の信号線路と、
前記第２の信号線路の一端に設けられた第２の高周波測定用ポートと、
一端に第３の高周波測定用ポートを有する第３の信号線路と、
アンテナグランド及びアンテナ信号線から構成される被測定アンテナと、
測定用アンテナと、
ネットワークアナライザーとを備え、
前記ネットワークアナライザーは、
前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記第１の信号線路、第２の信号線路及び第３の信号線路の他端が前記ネットワークアナライザーに接続され、前記被測定アンテナから前記測定用アンテナへ、あるいは前記測定用アンテナから前記被測定アンテナへ、単一または複数の測定周波数の連続波信号を送受信させた接続状態において、前記第１の高周波測定用ポート及び第２の高周波測定用ポート間の散乱係数を測定し、前記第１の高周波測定用ポート及び第３の高周波測定用ポート間の第１の通過特性を測定し、かつ前記第２の高周波測定用ポート及び第３の高周波測定用ポート間の第２の通過特性を測定し、
短絡点において第１の測定用グランドを流れる電流と第１の測定用信号線を流れる電流の不平衡成分に相当する第１の不平衡電流と、前記短絡点において第２の測定用グランドを流れる電流と第２の測定用信号線を流れる電流の不平衡成分に相当する第２の不平衡電流とを相殺するように、前記散乱係数に基づき、第１の高周波測定用ポート内の進行波と第２の高周波測定用ポート内の進行波との比率を決定し、
前記第１の通過特性と前記第２の通過特性を前記比率により合成して第３の通過特性を測定する
ことを特徴とするアンテナ特性測定装置。
【請求項６】
第１の測定用グランド及び第１の測定用信号線から構成される第１の信号線路と、
前記第１の信号線路の一端に設けられた第１の高周波測定用ポートと、
第２の測定用グランド及び第２の測定用信号線から構成される第２の信号線路と、
前記第２の信号線路の一端に設けられた第２の高周波測定用ポートと、
一端に第３の高周波測定用ポートを有する第３の信号線路と、
アンテナグランド及びアンテナ信号線から構成される被測定アンテナと、
測定用アンテナと、
ネットワークアナライザーと、
無反射終端を有する切替回路と、
一端が前記ネットワークアナライザーに接続された第４の信号線路と、
一端が前記ネットワークアナライザーに接続された第５の信号線路とを備え、
前記ネットワークアナライザーは、
前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記切替回路により、前記第４の信号線路の他端が前記第１の信号線路の他端に接続され、前記第５の信号線路の他端が前記第２の信号線路の他端に接続され、かつ前記第３の信号線路の他端が前記無反射終端に接続された第１の接続状態において、前記第１の高周波測定用ポート及び第２の高周波測定用ポート間の散乱係数を測定し、
前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記切替回路により、前記第４の信号線路の他端が前記第１の信号線路の他端に接続され、前記第５の信号線路の他端が前記第３の信号線路の他端に接続され、かつ前記第２の信号線路の他端が前記無反射終端に接続され、前記被測定アンテナから前記測定用アンテナへ、あるいは前記測定用アンテナから前記被測定アンテナへ、単一または複数の測定周波数の連続波信号を送受信させた第２の接続状態において、前記第１の高周波測定用ポート及び第３の高周波測定用ポート間の第１の通過特性を測定し、
前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記切替回路により、前記第４の信号線路の他端が前記第２の信号線路の他端に接続され、前記第５の信号線路の他端が前記第３の信号線路の他端に接続され、かつ前記第１の信号線路の他端が前記無反射終端に接続され、前記被測定アンテナから前記測定用アンテナへ、あるいは前記測定用アンテナから前記被測定アンテナへ、単一または複数の測定周波数の連続波信号を送受信させた第３の接続状態において、前記第２の高周波測定用ポート及び第３の高周波測定用ポート間の第２の通過特性を測定し、
短絡点において第１の測定用グランドを流れる電流と第１の測定用信号線を流れる電流の不平衡成分に相当する第１の不平衡電流と、前記短絡点において第２の測定用グランドを流れる電流と第２の測定用信号線を流れる電流の不平衡成分に相当する第２の不平衡電流とを相殺するように、前記散乱係数に基づき、第１の高周波測定用ポート内の進行波と第２の高周波測定用ポート内の進行波との比率を決定し、
前記第１の通過特性と前記第２の通過特性を前記比率により合成して第３の通過特性を測定する
ことを特徴とするアンテナ特性測定装置。
【請求項７】
第１の測定用グランド及び第１の測定用信号線から構成される第１の信号線路と、
前記第１の信号線路の一端に設けられた第１の高周波測定用ポートと、
第２の測定用グランド及び第２の測定用信号線から構成される第２の信号線路と、
前記第２の信号線路の一端に設けられた第２の高周波測定用ポートと、
一端に第３の高周波測定用ポートを有する第３の信号線路と、
アンテナグランド及びアンテナ信号線から構成される被測定アンテナと、
測定用アンテナと、
信号線路内の後退波を吸収する無反射終端と、
ネットワークアナライザーとを備えたアンテナ特性測定装置において、
前記ネットワークアナライザーによって、前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記第１の信号線路及び第２の信号線路の他端が前記ネットワークアナライザーに接続された第１の接続状態において、前記第１の高周波測定用ポート及び第２の高周波測定用ポート間の散乱係数を測定するステップと、
前記ネットワークアナライザーによって、前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記第２の信号線路の他端が前記無反射終端に接続され、前記第１の信号線路及び第３の信号線路の他端が前記ネットワークアナライザーに接続され、前記被測定アンテナから前記測定用アンテナへ、あるいは前記測定用アンテナから前記被測定アンテナへ、単一または複数の測定周波数の連続波信号を送受信させた第２の接続状態において、前記第１の高周波測定用ポート及び第３の高周波測定用ポート間の第１の通過特性を測定するステップと、
前記ネットワークアナライザーによって、前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記第１の信号線路の他端が前記無反射終端に接続され、前記第２の信号線路及び第３の信号線路の他端が前記ネットワークアナライザーに接続され、前記被測定アンテナから前記測定用アンテナへ、あるいは前記測定用アンテナから前記被測定アンテナへ、単一または複数の測定周波数の連続波信号を送受信させた第３の接続状態において、前記第２の高周波測定用ポート及び第３の高周波測定用ポート間の第２の通過特性を測定するステップと、
前記ネットワークアナライザーによって、短絡点において第１の測定用グランドを流れる電流と第１の測定用信号線を流れる電流の不平衡成分に相当する第１の不平衡電流と、前記短絡点において第２の測定用グランドを流れる電流と第２の測定用信号線を流れる電流の不平衡成分に相当する第２の不平衡電流とを相殺するように、前記散乱係数に基づき、第１の高周波測定用ポート内の進行波と第２の高周波測定用ポート内の進行波との比率を決定するステップと、
前記ネットワークアナライザーによって、前記第１の通過特性と前記第２の通過特性を前記比率により合成して第３の通過特性を測定するステップと
を含むことを特徴とするアンテナ特性測定方法。
【請求項８】
前記第１の通過特性を測定するステップは、前記ネットワークアナライザーによって、前記第２の接続状態において、前記第２の信号線路及び短絡点が削除され、前記アンテナ信号線と前記第１の測定用グランドの間に前記無反射終端が接続され、前記第１の高周波測定用ポート及び第３の高周波測定用ポート間の第１の通過特性を測定し、
前記第２の通過特性を測定するステップは、前記ネットワークアナライザーによって、前記第３の接続状態において、前記第１の信号線路及び短絡点が削除され、前記アンテナグランドと前記第２の測定用グランドの間に前記無反射終端が接続され、前記第２の高周波測定用ポート及び第３の高周波測定用ポート間の第２の通過特性を測定する
ことを特徴とする請求項７記載のアンテナ特性測定方法。
【請求項９】
第１の測定用グランド及び第１の測定用信号線から構成される第１の信号線路と、
前記第１の信号線路の一端に設けられた第１の高周波測定用ポートと、
第２の測定用グランド及び第２の測定用信号線から構成される第２の信号線路と、
前記第２の信号線路の一端に設けられた第２の高周波測定用ポートと、
一端に第３の高周波測定用ポートを有する第３の信号線路と、
アンテナグランド及びアンテナ信号線から構成される被測定アンテナと、
測定用アンテナと、
ネットワークアナライザーと、
入力端子を有し、前記第１の信号線路内の進行波を分配する分配回路と、
第３及び第４の測定用信号線とを備えたアンテナ特性測定装置において、
前記ネットワークアナライザーによって、前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記第１の信号線路及び第２の信号線路の他端が前記ネットワークアナライザーに接続された第１の接続状態において、前記第１の高周波測定用ポート及び第２の高周波測定用ポート間の散乱係数を測定するステップと、
前記ネットワークアナライザーによって、短絡点において第１の測定用グランドを流れる電流と第１の測定用信号線を流れる電流の不平衡成分に相当する第１の不平衡電流と、前記短絡点において第２の測定用グランドを流れる電流と第２の測定用信号線を流れる電流の不平衡成分に相当する第２の不平衡電流とを相殺するように、前記散乱係数に基づき、第１の高周波測定用ポート内の進行波と第２の高周波測定用ポート内の進行波との比率を決定するステップと、
前記ネットワークアナライザーによって、前記第１の接続状態から、前記第２の信号線路及び短絡点が削除され、前記分配回路の入力端子が前記第１の信号線路の一端に接続され、前記第３及び第４の測定用信号線の一端が前記分配回路の入力端子とは反対側にそれぞれ接続され、前記第１の高周波測定用ポートが前記第３の測定用信号線の他端に接続され、前記第２の高周波測定用ポートが前記第４の測定用信号線の他端に接続され、前記第１の高周波測定用ポートにおいて、前記アンテナグランド及び前記第３の測定用信号線が接続され、前記第２の高周波測定用ポートにおいて、前記アンテナ信号線及び前記第４の測定用信号線が接続され、前記測定用アンテナが前記第３の高周波測定用ポートに接続され、前記第１の信号線路及び第３の信号線路の他端が前記ネットワークアナライザーに接続され、前記被測定アンテナから前記測定用アンテナへ、あるいは前記測定用アンテナから前記被測定アンテナへ、単一または複数の測定周波数の連続波信号を送受信させ、前記分配回路により、前記入力端子に入力された進行波を、前記第１の高周波測定用ポート及び第２の高周波測定用ポート内の進行波が前記比率になるように分配させた第２の接続状態において、前記分配回路の入力端子及び第３の高周波測定用ポート間の通過特性を測定するステップと
を含むことを特徴とするアンテナ特性測定方法。
【請求項１０】
第５及び第６の測定用信号線と、
入力端子、及び無反射終端が接続される端子を有し、前記第５及び第６の測定用信号線と前記第１の測定用信号線及び前記無反射終端の接続を切り替えるスイッチボックスと、
前記スイッチボックスを制御するスイッチコントローラーとをさらに備えたアンテナ特性測定装置において、
前記第１の通過特性を測定するステップは、前記ネットワークアナライザーによって、前記第２の接続状態において、前記第２の信号線路及び短絡点が削除され、前記無反射終端が前記スイッチボックスの端子に接続され、前記入力端子が前記第１の測定用信号線に接続され、前記第５及び第６の測定用信号線の一端が前記第１及び第２の高周波測定用ポートにそれぞれ接続され、前記スイッチコントローラーの制御の基づき前記スイッチボックスにより、前記第５の測定用信号線の他端が前記第１の測定用信号線に接続され、かつ前記第６の測定用信号線の他端が前記無反射終端に接続され、前記第１の高周波測定用ポート及び第３の高周波測定用ポート間の第１の通過特性を測定し、
前記第２の通過特性を測定するステップは、前記ネットワークアナライザーによって、前記第２の接続状態において、前記第２の信号線路及び短絡点が削除され、前記無反射終端が前記スイッチボックスの端子に接続され、前記入力端子が前記第１の測定用信号線に接続され、前記第５及び第６の測定用信号線の一端が前記第１及び第２の高周波測定用ポートにそれぞれ接続され、前記スイッチコントローラーの制御の基づき前記スイッチボックスにより、前記第５の測定用信号線の他端が前記無反射終端に接続され、かつ前記第６の測定用信号線の他端が前記第１の測定用信号線に接続され、前記第２の高周波測定用ポート及び第３の高周波測定用ポート間の第２の通過特性を測定する
ことを特徴とする請求項７記載のアンテナ特性測定方法。
【請求項１１】
第１の測定用グランド及び第１の測定用信号線から構成される第１の信号線路と、
前記第１の信号線路の一端に設けられた第１の高周波測定用ポートと、
第２の測定用グランド及び第２の測定用信号線から構成される第２の信号線路と、
前記第２の信号線路の一端に設けられた第２の高周波測定用ポートと、
一端に第３の高周波測定用ポートを有する第３の信号線路と、
アンテナグランド及びアンテナ信号線から構成される被測定アンテナと、
測定用アンテナと、
ネットワークアナライザーとを備えたアンテナ特性測定装置において、
前記ネットワークアナライザーによって、前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記第１の信号線路、第２の信号線路及び第３の信号線路の他端が前記ネットワークアナライザーに接続され、前記被測定アンテナから前記測定用アンテナへ、あるいは前記測定用アンテナから前記被測定アンテナへ、単一または複数の測定周波数の連続波信号を送受信させた接続状態において、前記第１の高周波測定用ポート及び第２の高周波測定用ポート間の散乱係数を測定し、前記第１の高周波測定用ポート及び第３の高周波測定用ポート間の第１の通過特性を測定し、かつ前記第２の高周波測定用ポート及び第３の高周波測定用ポート間の第２の通過特性を測定するステップと、
前記ネットワークアナライザーによって、短絡点において第１の測定用グランドを流れる電流と第１の測定用信号線を流れる電流の不平衡成分に相当する第１の不平衡電流と、前記短絡点において第２の測定用グランドを流れる電流と第２の測定用信号線を流れる電流の不平衡成分に相当する第２の不平衡電流とを相殺するように、前記散乱係数に基づき、第１の高周波測定用ポート内の進行波と第２の高周波測定用ポート内の進行波との比率を決定するステップと、
前記ネットワークアナライザーによって、前記第１の通過特性と前記第２の通過特性を前記比率により合成して第３の通過特性を測定するステップと
を含むことを特徴とするアンテナ特性測定方法。
【請求項１２】
第１の測定用グランド及び第１の測定用信号線から構成される第１の信号線路と、
前記第１の信号線路の一端に設けられた第１の高周波測定用ポートと、
第２の測定用グランド及び第２の測定用信号線から構成される第２の信号線路と、
前記第２の信号線路の一端に設けられた第２の高周波測定用ポートと、
一端に第３の高周波測定用ポートを有する第３の信号線路と、
アンテナグランド及びアンテナ信号線から構成される被測定アンテナと、
測定用アンテナと、
ネットワークアナライザーと、
無反射終端を有する切替回路と、
一端が前記ネットワークアナライザーに接続された第４の信号線路と、
一端が前記ネットワークアナライザーに接続された第５の信号線路とを備えたアンテナ特性測定装置において、
前記ネットワークアナライザーによって、前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記切替回路により、前記第４の信号線路の他端が前記第１の信号線路の他端に接続され、前記第５の信号線路の他端が前記第２の信号線路の他端に接続され、かつ前記第３の信号線路の他端が前記無反射終端に接続された第１の接続状態において、前記第１の高周波測定用ポート及び第２の高周波測定用ポート間の散乱係数を測定するステップと、
前記ネットワークアナライザーによって、前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記切替回路により、前記第４の信号線路の他端が前記第１の信号線路の他端に接続され、前記第５の信号線路の他端が前記第３の信号線路の他端に接続され、かつ前記第２の信号線路の他端が前記無反射終端に接続され、前記被測定アンテナから前記測定用アンテナへ、あるいは前記測定用アンテナから前記被測定アンテナへ、単一または複数の測定周波数の連続波信号を送受信させた第２の接続状態において、前記第１の高周波測定用ポート及び第３の高周波測定用ポート間の第１の通過特性を測定するステップと、
前記ネットワークアナライザーによって、前記第１の高周波測定用ポートにおいて、前記アンテナグランド及び前記第１の測定用信号線が接続され、前記第２の高周波測定用ポートにおいて、前記アンテナ信号線及び前記第２の測定用信号線が接続され、前記第１の高周波測定用ポート及び第２の高周波測定用ポートの近傍において、前記第１の測定用グランド及び第２の測定用グランドが短絡され、前記測定用アンテナが前記第３の高周波測定用ポートに接続され、前記切替回路により、前記第４の信号線路の他端が前記第２の信号線路の他端に接続され、前記第５の信号線路の他端が前記第３の信号線路の他端に接続され、かつ前記第１の信号線路の他端が前記無反射終端に接続され、前記被測定アンテナから前記測定用アンテナへ、あるいは前記測定用アンテナから前記被測定アンテナへ、単一または複数の測定周波数の連続波信号を送受信させた第３の接続状態において、前記第２の高周波測定用ポート及び第３の高周波測定用ポート間の第２の通過特性を測定するステップと、
前記ネットワークアナライザーによって、短絡点において第１の測定用グランドを流れる電流と第１の測定用信号線を流れる電流の不平衡成分に相当する第１の不平衡電流と、前記短絡点において第２の測定用グランドを流れる電流と第２の測定用信号線を流れる電流の不平衡成分に相当する第２の不平衡電流とを相殺するように、前記散乱係数に基づき、第１の高周波測定用ポート内の進行波と第２の高周波測定用ポート内の進行波との比率を決定するステップと、
前記ネットワークアナライザーによって、前記第１の通過特性と前記第２の通過特性を前記比率により合成して第３の通過特性を測定するステップと
を含むことを特徴とするアンテナ特性測定方法。